(57)【要約】【課題】良好な品質のピットを形成する。【解決手段】ＤＶＤレコーダ１００のＤＳＰ３２は、ライトパルスの形式を設定するパルス形式設定部３２１と、ライトパルスの駆動電力の基準値である基準電力Ｐ０を設定する基準電力設定部３２３と、設定されたライトパルスの形式が、複数の部位から構成され、且つ、部位毎に駆動電力を設定可能な形式である複数部位パルスであるか否かを判定するパルス形式判定部３２２と、複数部位パルスであると判定された場合に、ライトパルスを構成する複数の部位の内、少なくとも１の部位の駆動電力を、設定された基準電力Ｐ０に、予め設定された補正電力αを加算することによって補正する電力補正部３２５と、ＬＤに対して設定された駆動電力Ｐ０及び補正された駆動電力（Ｐ０＋α）のライトパルスを印加する駆動制御部３２６と、を備えている。【選択図】図３
2008262607.tif 000002
【特許請求の範囲】
【請求項１】
予め設定された形式のライトパルスが印加されて光ディスクにピットを形成するＬＤ（Ｌａｓｅｒ  Ｄｉｏｄｅ）を介して、光ディスクに情報を記録する光ディスク記録装置であって、
前記ライトパルスの形式を設定するパルス形式設定手段と、
前記ライトパルスの駆動電力の基準値である基準電力を設定する基準電力設定手段と、
前記パルス形式設定手段によって設定されたライトパルスの形式が、複数の部位から構成され、且つ、部位毎に駆動電力を設定可能な形式である複数部位パルスであるか否かを判定するパルス形式判定手段と、
前記パルス形式判定手段によって複数部位パルスであると判定された場合に、前記ライトパルスを構成する複数の部位の内、少なくとも１の部位の駆動電力を、前記基準電力設定手段によって設定された基準電力に、予め設定された補正電力を加算することによって補正する電力補正手段と、
前記ＬＤに対して前記基準電力設定手段によって設定された駆動電力及び前記電力補正手段によって補正された駆動電力のライトパルスを印加する駆動制御手段と、
を備えることを特徴とする光ディスク記録装置。
【請求項２】
前記電力補正手段は、前記ライトパルスを構成する複数の部位の内、最後の部位の駆動電力を補正することを特徴とする請求項１に記載の光ディスク記録装置。
【請求項３】
前記基準電力に対応付けて、駆動電力の補正量である補正電力を予め格納する補正電力記憶手段を備え、
前記電力補正手段は、前記基準電力設定手段によって設定された基準電力に対応する補正電力を前記補正電力記憶手段から読み出して、前記基準電力に加算することによって駆動電力を補正することを特徴とする請求項１又は請求項２に記載の光ディスク記録装置。
【請求項４】
前記補正電力記憶手段は、前記ライトパルスの形式に対応付けて前記補正電力を格納し、
前記電力補正手段は、前記パルス形式設定手段によって設定されたライトパルスの形式に対応する補正電力を前記補正電力記憶手段から読み出して、前記基準電力に加算することによって駆動電力を補正することを特徴とする請求項３に記載の光ディスク記録装置。
【発明の詳細な説明】
【技術分野】
【０００１】
本発明は、予め設定された形式のライトパルスが印加されて光ディスクにピットを形成するＬＤ（Ｌａｓｅｒ  Ｄｉｏｄｅ）を介して、光ディスクに情報を記録する光ディスク記録装置に関する。特に、ＣＤ（Ｃｏｍｐａｃｔ  Ｄｉｓｋ）又はＤＶＤ（Ｄｉｇｉｔａｌ  Ｖｅｒｓａｔｉｌｅ  Ｄｉｓｋ）に情報を記録するＤＶＤレコーダに関する。
【背景技術】
【０００２】
近年、デジタル技術の進展に伴い、音楽、映像及びソフトウェア等の情報を記録するための媒体として、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）等の光ディスクを記録媒体とする光ディスク記録装置が普及している。この光ディスク記録装置では、ＬＤ（Ｌａｓｅｒ  Ｄｉｏｄｅ）等の光源からレーザ光を出射し、トラックが同心円状に形成された光ディスクの記録層にピットを形成して情報の記録を行い、記録層からの反射光に基づいて情報の再生を行っている。
【０００３】
ピットを形成するＬＤの電力及びパルス形状は、記録品質（＝形成されるピットの形状）に大きな影響を与えるため、良好な品質のピットを形成する種々の方法、装置が提案されている。例えば、まず、再生電力より大きく、且つ、記録電力の８０％以下の電力を有する予熱パルスを照射して、記録層をそのマーク形成開始温度未満の温度に予熱し、続いて、記録電力を有する主パルスを照射して、記録層をマーク形成開始温度以上の温度に加熱する光ディスク装置が開示されている（特許文献１参照）。
【特許文献１】特開２００５−３３９６７２号公報
【発明の開示】
【発明が解決しようとする課題】
【０００４】
しかしながら、上記光ディスク装置等の従来の光ディスク記録装置では、ＬＤの加熱に伴うドループ（＝発光光量の低下）に起因してピット品質の劣化が発生する場合がある。
【０００５】
上記の課題に鑑みて、本発明は、良好な品質のピットを形成することの可能な光ディスク記録装置を提供することを目的としている。
【課題を解決するための手段】
【０００６】
上記目的を達成するために請求項１に記載の光ディスク記録装置は、予め設定された形式のライトパルスが印加されて光ディスクにピットを形成するＬＤ（Ｌａｓｅｒ  Ｄｉｏｄｅ）を介して、光ディスクに情報を記録する光ディスク記録装置であって、前記ライトパルスの形式を設定するパルス形式設定手段と、前記ライトパルスの駆動電力の基準値である基準電力を設定する基準電力設定手段と、前記パルス形式設定手段によって設定されたライトパルスの形式が、複数の部位から構成され、且つ、部位毎に駆動電力を設定可能な形式である複数部位パルスであるか否かを判定するパルス形式判定手段と、前記パルス形式判定手段によって複数部位パルスであると判定された場合に、前記ライトパルスを構成する複数の部位の内、少なくとも１の部位の駆動電力を、前記基準電力設定手段によって設定された基準電力に、予め設定された補正電力を加算することによって補正する電力補正手段と、前記ＬＤに対して前記基準電力設定手段によって設定された駆動電力及び前記電力補正手段によって補正された駆動電力のライトパルスを印加する駆動制御手段と、を備えることを特徴としている。
【０００７】
請求項２に記載の光ディスク記録装置は、請求項１に記載の光ディスク記録装置であって、前記電力補正手段が、前記ライトパルスを構成する複数の部位の内、最後の部位の駆動電力を補正することを特徴としている。
【０００８】
請求項３に記載の光ディスク記録装置は、請求項１又は請求項２に記載の光ディスク記録装置であって、前記基準電力に対応付けて、駆動電力の補正量である補正電力を予め格納する補正電力記憶手段を備え、前記電力補正手段が、前記基準電力設定手段によって設定された基準電力に対応する補正電力を前記補正電力記憶手段から読み出して、前記基準電力に加算することによって駆動電力を補正することを特徴としている。
【０００９】
請求項４に記載の光ディスク記録装置は、請求項３に記載の光ディスク記録装置であって、前記補正電力記憶手段が、前記ライトパルスの形式に対応付けて前記補正電力を格納し、前記電力補正手段が、前記パルス形式設定手段によって設定されたライトパルスの形式に対応する補正電力を前記補正電力記憶手段から読み出して、前記基準電力に加算することによって駆動電力を補正することを特徴としている。
【発明の効果】
【００１０】
請求項１に記載の光ディスク記録装置によれば、ライトパルスの形式が設定され、ライトパルスの駆動電力の基準値である基準電力が設定される。そして、設定されたライトパルスの形式が、複数の部位から構成され、且つ、部位毎に駆動電力を設定可能な形式である複数部位パルスであるか否かが判定され、複数部位パルスであると判定された場合に、ライトパルスを構成する複数の部位の内、少なくとも１の部位の駆動電力が、設定された基準電力に、予め設定された補正電力を加算することによって補正される。また、ＬＤに対して、設定された駆動電力及び補正された駆動電力のライトパルスが印加されるため、良好な品質のピットを形成することができる。
【００１１】
すなわち、ライトパルスを構成する複数の部位の内、少なくとも１の部位の駆動電力が、設定された基準電力に、予め設定された補正電力を加算することによって補正され、補正された駆動電力のライトパルスが印加されるため、ＬＤの加熱に伴うドループ（＝発光光量の低下）に起因して発生するピット品質の劣化を抑制することができるので、良好な品質のピットを形成することができるのである。
【００１２】
請求項２に記載の光ディスク記録装置によれば、ライトパルスを構成する複数の部位の内、最後の部位の駆動電力が補正されるため、更に良好な品質のピットを形成することができる。
【００１３】
すなわち、ライトパルスを構成する複数の部位の内、最後の部位の駆動電力が補正されるため、ＬＤの加熱に伴うドループ（＝発光光量の低下）に起因して発生するピット品質の劣化を効果的に抑制することができるので、更に良好な品質のピットを形成することができるのである。
【００１４】
つまり、ＬＤの加熱に伴うドループ（＝発光光量の低下）は、発光時間が長い程大きくなるため、ライトパルスを構成する複数の部位の内、最後の部位の駆動電力を補正することによって、ドループの発生を効果的に抑制することができるのである。
【００１５】
請求項３に記載の光ディスク記録装置によれば、基準電力に対応付けて、駆動電力の補正量である補正電力が予め補正電力記憶手段に格納されており、設定された基準電力に対応する補正電力を補正電力記憶手段から読み出して、基準電力に加算することによって駆動電力が補正されるため、更に良好な品質のピットを形成することができる。
【００１６】
すなわち、基準電力が大きい程、ＬＤの加熱に伴うドループ（＝発光光量の低下）の影響が大きくなるため、設定された基準電力に対応する補正電力を補正電力記憶手段から読み出して、基準電力に加算することによって駆動電力が補正されるので、更に良好な品質のピットを形成することができるのである。
【００１７】
請求項４に記載の光ディスク記録装置によれば、ライトパルスの形式に対応付けて補正電力が補正電力記憶手段に格納されており、設定されたライトパルスの形式に対応する補正電力を補正電力記憶手段から読み出して、基準電力に加算することによって駆動電力が補正されるため、更に良好な品質のピットを形成することができる。
【００１８】
すなわち、ライトパルスの形式によってＬＤの加熱に伴うドループ（＝発光光量の低下）の影響が変化するため、設定されたライトパルスの形式に対応する補正電力を補正電力記憶手段から読み出して、基準電力に加算することによって駆動電力が補正されるので、更に良好な品質のピットを形成することができるのである。
【発明を実施するための最良の形態】
【００１９】
以下に本発明の実施形態を、図面を参照しながら説明する。図１は、本発明に係るＤＶＤレコーダの一例を示す構成図である。ＤＶＤレコーダ１００（光ディスク記録装置に相当する）は、本発明に係る光ピックアップ１、出力装置３、制御装置４、駆動装置５、表示部６及び操作部７を備えている。
【００２０】
また、ＤＶＤレコーダ１００は、テレビ受像機２００と通信可能に構成されている。テレビ受像機２００は、スピーカ及びモニタ（図示省略）を備え、テレビジョン放送を受信して、受信された映像情報をＤＶＤレコーダ１００へ出力すると共に、ＤＶＤレコーダ１００からの音声情報、映像情報等の情報を、スピーカ及びモニタを介して出力するものである。
【００２１】
光ピックアップ１は、ＣＤ用ＬＤ（Ｌａｓｅｒ  Ｄｉｏｄｅ）１１及びＤＶＤ用ＬＤ１２を備え、再生する対象の光ディスク２（ＣＤ又はＤＶＤ）からの反射光を電気信号に変換し、光ディスク２（ＣＤ、又は、ＤＶＤ）に格納された音声情報、映像情報等の各種情報の読み取りを行うと共に、音声情報、映像情報等の各種情報の光ディスク２（ＣＤ、又は、ＤＶＤ）への書き込みを行うものである。ＣＤ用ＬＤ１１は、ＣＤに格納された情報を読み取ると共に、情報をＣＤへ書き込むレーザ光を照射するものである。ＤＶＤ用ＬＤ１２は、ＤＶＤに格納された情報を読み取ると共に、情報をＤＶＤへ書き込むレーザ光を照射するものである。また、光ピックアップ１は、スレッドモータ５１によって、光ディスク２の径方向、及び、垂直方向（近接、離間方向）に移動可能に構成されている。
【００２２】
ＤＶＤレコーダ１００に載置される光ディスク２は、ここでは、ＤＶＤ−Ｒ（Ｒｅｃｏｒｄａｂｌｅ）、ＤＶＤ＋Ｒ、又は、ＤＶＤ−ＲＷ（ＲｅＷｒｉｔａｂｌｅ）であって、図４を用いて後述する形式（３Ｔ〜１４Ｔ）のライトパルスを用いてピットが形成されるものである。
【００２３】
出力装置３は、光ピックアップ１からの音声情報、映像情報等の情報を、音声及び画像に変換して、それぞれ、テレビ受像機２００に配設された図略のスピーカ及びモニタに出力すると共に、テレビ受像機２００からの音声情報、映像情報等の情報を変換して、光ピックアップ１へ出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。ＲＦアンプ３１は、光ピックアップ１からの音声情報、映像情報等に対応する信号を増幅するものである。
【００２４】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、テレビ受像機２００に配設された図略のスピーカ及びモニタに出力するためにＤＡ変換処理等を行うものである。また、ＤＳＰ３２は、テレビ受像機２００からの情報を変換するものである。
【００２５】
制御装置４は、操作部７を介して受け付けた指示操作に基づいて、光ピックアップ１及び駆動装置５の動作を制御するものであって、システムコントローラ４１、及びドライバＩＣ４２を備えている。システムコントローラ４１は、操作部７からの情報を受け付けてＤＳＰ３２に伝送すると共に、ＤＳＰ３２からの情報を表示部６に伝送するものである。
【００２６】
ドライバＩＣ４２（駆動制御手段の一部に相当する）は、ＤＳＰ３２からの指示に基づいて、光ピックアップ１及び駆動装置５の動作を制御するものである。具体的には、ドライバＩＣ４２は、光ピックアップ１に配設されたＣＤ用ＬＤ１１及びＤＶＤ用ＬＤ１２に供給する電力を制御すると共に、駆動装置５を構成するスレッドモータ５１及びスピンドルモータ５２の動作を制御するものである。
【００２７】
図２は、ドライバＩＣ４２の等価回路の一例を示す回路図である。ドライバＩＣ４２には、３個のスイッチＳＷ２〜ＳＷ４、及び、加算器４２１を備えている。加算器４２１は、直流電源Ｉ１〜Ｉ４から供給された電力を加算して、ＬＤ（ＣＤ用ＬＤ１１又はＤＶＤ用ＬＤ１２）に対して駆動電力を供給するものであって、直流電源Ｉ１が入力されると共に、直流電源Ｉ２〜Ｉ４がそれぞれスイッチＳＷ２〜ＳＷ４を介して入力されている。
【００２８】
３個のスイッチＳＷ２〜ＳＷ４は、ＤＳＰ３２（後述する駆動制御部３２６）から出力される制御信号Ｓ２〜Ｓ３によってＯＮ／ＯＦＦが制御される。すなわち、ＤＳＰ３２（後述する駆動制御部３２６）から出力される制御信号Ｓ２〜Ｓ３によって３個のスイッチＳＷ２〜ＳＷ４をＯＮ／ＯＦＦ制御することによって、加算器４２１からＬＤ（ＣＤ用ＬＤ１１又はＤＶＤ用ＬＤ１２）に対して供給する駆動電力を、例えば、直流電源Ｉ１、（直流電源Ｉ１＋直流電源Ｉ２）、（直流電源Ｉ１＋直流電源Ｉ２＋直流電源Ｉ３）、（直流電源Ｉ１＋直流電源Ｉ２＋直流電源Ｉ３＋直流電源Ｉ４）の４段階に制御することが可能となる。
【００２９】
再び、図１に戻って、ＤＶＤレコーダ１００の構成について説明する。駆動装置５は、スレッドモータ５１及びスピンドルモータ５２を備える。スレッドモータ５１は、ドライバＩＣ４２からの指示に基づいて光ピックアップ１を光ディスク２の径方向及び垂直方向に移動させるものである。スピンドルモータ５２は、ドライバＩＣ４２からの指示に基づいて光ディスク２を回転駆動するものである。
【００３０】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００３１】
図３は、ＤＶＤレコーダ１００（ＤＳＰ３２）における主要部の機能構成の一例を示す構成図である。ＤＳＰ３２は、機能的に、パルス形式設定部３２１、パルス形式判定部３２２、基準電力設定部３２３、補正電力記憶部３２４、電力補正部３２５、及び、駆動制御部３２６を備えている。
【００３２】
ここでは、ＤＳＰ３２が、図略のＲＯＭ（Ｒｅａｄ  Ｏｎｌｙ  Ｍｅｍｏｒｙ）等に予め格納されたプログラムを読み出して実行することにより、パルス形式設定部３２１、パルス形式判定部３２２、基準電力設定部３２３、補正電力記憶部３２４、電力補正部３２５、駆動制御部３２６等の機能部として機能するものである。
【００３３】
また、図略のＲＡＭ（Ｒａｎｄｏｍ  Ａｃｃｅｓｓ  Ｍｅｍｏｒｙ）又はＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３４】
パルス形式設定部３２１（パルス形式設定手段に相当する）は、ＤＶＤレコーダ１００に載置された光ディスク２の種別及び記録速度に基づいて、ライトパルスの形式を設定するものである。図４は、パルス形式設定部３２１によって設定されるライトパルスの形式の一例を説明するタイミングチャートである。（ａ）は、ＤＶＤ−Ｒに１倍速（又は２倍速）で記録する際に用いられるマルチパルス形式のライトパルスであり、（ｂ）は、ＤＶＤ−ＲＷに記録する際に用いられるライトパルスであり、（ｃ）は、ＤＶＤ−Ｒに４倍速で記録する際に用いられる非マルチパルス形式のライトパルスである。（ａ）〜（ｃ）では、それぞれ、上から順に、記録データ及びライトパルスのタイミングチャートの一例を示している。
【００３５】
（ａ）においては、左側に、「８Ｔ」という規格に相当する記録データ及びライトパルスを示し、右側に、「３Ｔ」という規格に相当する記録データ及びライトパルスを示している。（ａ）に示すように、「８Ｔ」及び「３Ｔ」という規格に相当する記録データは、それぞれ、８Ｔ及び３Ｔ（「Ｔ」は、規格で設定された単位時間幅）の幅を有するものである。また、「８Ｔ」という規格に相当するライトパルスは、パルス幅Ｔｔｏｐを有する先頭パルスと、パルス幅Ｔｍｐを有する５個の後続パルスと、から構成されている。「３Ｔ」という規格に相当するライトパルスは、パルス幅Ｔｔｏｐを有する先頭パルスから構成されている。また、先頭パルス及び後続パルスの高さは基準電力Ｐ０に設定される。
【００３６】
すなわち、この場合には、「ｎＴ」という規格（ｎ＝３、４、・・・、１４）に相当するライトパルスは、１個の先頭パルスと、（ｎ−３）個の後続パルスと、から構成されている。従って、「ｎＴ」という規格（ｎ＝４、・・・、１４）に相当するライトパルスでは、後述する電力補正部３２５によって、（ｎ−３）個目の（＝最後の）後続パルスの印加電力が補正される。なお、「３Ｔ」という規格に相当するライトパルスは、１のパルス（＝先頭パルス）から構成されているため、本発明を適用することはできない。
【００３７】
（ｂ）においては、左側に、「８Ｔ」という規格に相当する記録データ及びライトパルスを示し、右側に、「３Ｔ」という規格に相当する記録データ及びライトパルスを示している。（ｂ）に示すように、「８Ｔ」及び「３Ｔ」という規格に相当する記録データは、それぞれ、８Ｔ及び３Ｔ（Ｔは、規格で設定された単位幅）の幅を有するものである。また、「８Ｔ」という規格に相当するライトパルスは、パルス幅Ｔｔｏｐを有する先頭パルスと、パルス幅Ｔｍｐを有する６個の後続パルスと、から構成されている。「３Ｔ」という規格に相当するライトパルスは、パルス幅Ｔｔｏｐを有する先頭パルスと、パルス幅Ｔｍｐを有する１個の後続パルスと、から構成されている。また、先頭パルス及び後続パルスの高さは基準電力Ｐ０に設定される。なお、先頭パルスには、基準電力Ｐ０未満の予め設定された電力Ｐｃ（＞０）の予熱パルスが付加されている。
【００３８】
すなわち、この場合には、「ｎＴ」という規格（ｎ＝３、４、・・・、１４）に相当するライトパルスは、１個の先頭パルスと、（ｎ−２）個の後続パルスと、から構成されている。従って、「ｎＴ」という規格（ｎ＝３、・・・、１４）に相当するライトパルスでは、後述する電力補正部３２５によって、（ｎ−２）個目の（＝最後の）後続パルスの印加電力が補正される。
【００３９】
（ｃ）においては、左側に、「３Ｔ」という規格に相当する記録データ及びライトパルスを示し、右側に、「６Ｔ」という規格に相当する記録データ及びライトパルスを示している。（ｃ）に示すように、「３Ｔ」及び「６Ｔ」という規格に相当する記録データは、それぞれ、３Ｔ及び６Ｔ（Ｔは、規格で設定された単位幅）の幅を有するものである。また、「３Ｔ」という規格に相当するライトパルスは、パルス幅３Ｔｔｏｐを有する先頭パルスから構成されている。「６Ｔ」という規格に相当するライトパルスは、パルス幅ｎＴｔｏｐを有する先頭パルスと、パルス幅ｎＴｌｐを有する１個の後続パルスと、から構成されている（ここでは、ｎ＝６）。なお、先頭パルスと後続パルスとの間は、基準電力Ｐ０未満の予め設定された電力Ｐｍ（＞０）に設定される。
【００４０】
すなわち、この場合には、「ｎＴ」という規格（ｎ＝４、５、・・・、１４）に相当するライトパルスは、１個の先頭パルスと、１個の後続パルスと、から構成されている。従って、「ｎＴ」という規格（ｎ＝３、・・・、１４）に相当するライトパルスでは、後述する電力補正部３２５によって、後続パルスの印加電力が補正される。なお、「３Ｔ」という規格に相当するライトパルスは、１のパルス（＝先頭パルス）から構成されているため、本発明を適用することはできない。
【００４１】
図５は、ライトパルスにおけるドループ及びその記録データへの影響の一例を示す波形図である。（ａ）は、波形品質を示す用語を説明するための図であり、（ｂ）は、図４（ａ）に示すマルチパルス形式において「５Ｔ」という規格に相当するライトパルスの理想的な波形を示す図であり、（ｃ）は、（ｂ）に対応する記録データ（＝ピット）を示す図であり、（ｄ）は、（ｂ）に対応する実際の波形を示す図であり、（ｄ）は、（ｃ）に対応する記録データ（＝ピット）を示す図である。
【００４２】
（ａ）に示すように、ライトパルスは矩形とはならず、スルーレート、オーバーシュート、ドループ、アンダーシュート等が発生する。例えば、本発明において改善されるドループとは、ＬＤの加熱に伴って発光光量が低下する現象である。（ｂ）及び（ｃ）に示すように、ライトパルスが矩形である場合には、理想的な記録データ（＝ピット）が形成されるが、（ｄ）及び（ｅ）に示すようにドループが発生する場合には、記録データ（＝ピット）に劣化部（＝ピットが浅い部分）ＤＦが発生する。
【００４３】
再び、図３に戻って、ＤＳＰ３２の機能構成について説明する。パルス形式判定部３２２（パルス形式判定手段に相当する）は、パルス形式設定部３２１によって設定されたライトパルスの形式が、複数の部位から構成され、且つ、部位毎に駆動電力を設定可能な形式である複数部位パルスであるか否かを判定するものである。
【００４４】
例えば、図４（ａ）に示す形式のライトパルスが設定された場合には、「３Ｔ」という規格に相当するライトパルスは、パルス形式判定部３２２によって複数部位パルスではないと判定され、その他の規格（＝「ｎＴ」（ｎ＝４〜１４）という規格）に相当するライトパルスは、パルス形式判定部３２２によって複数部位パルスであると判定される。また、例えば、図４（ｂ）に示す形式のライトパルスが設定された場合には、全ての規格（＝「ｎＴ」（ｎ＝３〜１４）という規格）に相当するライトパルスが、パルス形式判定部３２２によって複数部位パルスであると判定される。更に、例えば、図４（ｃ）に示す形式のライトパルスが設定された場合には、「３Ｔ」という規格に相当するライトパルスは、パルス形式判定部３２２によって複数部位パルスではないと判定され、その他の規格（＝「ｎＴ」（ｎ＝４〜１４）という規格）に相当するライトパルスは、パルス形式判定部３２２によって複数部位パルスであると判定される。
【００４５】
基準電力設定部３２３（基準電力設定手段に相当する）は、ライトパルスの駆動電力の基準値である基準電力Ｐ０を設定するものである。
【００４６】
補正電力記憶部３２４（補正電力記憶手段に相当する）は、基準電力Ｐ０及びライトパルスの形式に対応付けて、駆動電力の補正量である補正電力αを予め格納するものである。また、補正電力記憶部３２４には、基準電力Ｐ０が、例えば３０ｍＷ未満である場合には、補正電力αが零として格納されている（＝電力補正部３２５によって補正しない）。
【００４７】
図６は、補正電力記憶部３２４に格納される補正電力αの一例を示すグラフである。図の縦軸は記録電力Ｐであり、横軸は補正電力αである。グラフＰＴ１〜ＰＴ３は、ライトパルスの形式に対応するものである。例えば、基準電力設定部３２３によって基準電力Ｐ０が設定された場合には、グラフＰＴ１に対応するライトパルスの形式が適用される場合には、電力補正部３２５によって補正電力α１が設定され、グラフＰＴ２に対応するライトパルスの形式が適用される場合には、電力補正部３２５によって補正電力α２が設定され、グラフＰＴ３に対応するライトパルスの形式が適用される場合には、電力補正部３２５によって補正電力α３が設定される。
【００４８】
電力補正部３２５（電力補正手段に相当する）は、パルス形式判定部３２２によって複数部位パルスであると判定された場合に、ライトパルスを構成する複数の部位の内、少なくとも１の部位の駆動電力を、基準電力設定部３２３によって設定された基準電力Ｐ０に、予め設定された補正電力αを加算することによって補正するものである。
【００４９】
具体的には、電力補正部３２５は、ライトパルスを構成する複数の部位の内、最後の部位の駆動電力を補正するものである。また、電力補正部３２５は、基準電力設定部３２３によって設定された基準電力Ｐ０、及び、パルス形式設定部３２１によって設定されたライトパルスの形式に対応する補正電力αを補正電力記憶部３２４から読み出して、基準電力Ｐ０に加算することによって駆動電力を補正するものである。
【００５０】
駆動制御部３２６（駆動制御手段の一部に相当する）は、ＬＤ（＝ＣＤ用ＬＤ１１又はＤＶＤ用ＬＤ１２）に対して基準電力設定部３２３によって設定された駆動電力及び電力補正部３２５によって補正された駆動電力（Ｐ０＋α）のライトパルスを印加するものである。
【００５１】
図７は、本発明に係るＤＶＤレコーダ１００（主にＤＳＰ３２）の動作の一例を示すフローチャートである。まず、パルス形式設定部３２１によってライトパルスの形式が設定される（Ｓ１０１）。そして、基準電力設定部３２３によって、基準電力Ｐ０が設定される（Ｓ１０３）。次いで、パルス形式判定部３２２によって、ステップＳ１０１において設定されたライトパルスの形式が複数部位パルスであるか否かが判定される（Ｓ１０５）。
【００５２】
複数部位パルスではないと判定された場合（Ｓ１０５でＮＯ）には、処理がステップＳ１１１に進められる。複数部位パルスであると判定された場合（Ｓ１０５でＹＥＳ）には、補正電力記憶部３２４によってステップＳ１０３において設定された基準電力Ｐ０が３０ｍＷ以上であるか否かの判定が行われる（Ｓ１０７）。３０ｍＷ未満であると判定された場合（Ｓ１０７でＮＯ）には、処理がステップＳ１１１に進められる。３０ｍＷ以上であると判定された場合（Ｓ１０７でＹＥＳ）には、電力補正部３２５によって、補正電力αが求められ、ライトパルスを構成する複数の部位の内、最後の部位の駆動電力が基準電力Ｐ０に補正電力αを加算することによって補正される（Ｓ１０９）。ステップＳ１０９の処理が終了した場合、ステップＳ１０５でＮＯの場合、及び、ステップＳ１０７でＮＯの場合には、設定された駆動電力がＬＤ（＝ＣＤ用ＬＤ１１又はＤＶＤ用ＬＤ１２）に対して印加され（Ｓ１１１）、処理が終了される。
【００５３】
図８は、本発明の効果の一例を示す波形図である。（ａ）は、図４（ａ）に示すマルチパルス形式において「５Ｔ」という規格に相当するライトパルスの実際の波形（＝本発明を適用する前の波形）を示す図（図５（ｄ）と同一の図）であり、（ｃ）は、（ａ）に対応する記録データ（＝ピット）を示す図（図５（ｅ）と同一の図）であり、（ｂ）は、（ａ）に対応する本発明を適用した場合の波形を示す図であり、（ｄ）は、（ｂ）に対応する記録データ（＝ピット）を示す図である。
【００５４】
（ｂ）に示すように、「５Ｔ」という規格に相当するライトパルスの内、最後の（＝２番目の）後続パルスの電力が補正電力αだけ増加するように補正され、その結果（ｄ）に示すように、良好な品質の記録データ（＝ピット）が形成されている。
【００５５】
このようにして、ライトパルスの形式が設定され、ライトパルスの駆動電力の基準値である基準電力Ｐ０が設定される。そして、設定されたライトパルスの形式が、複数の部位から構成され、且つ、部位毎に駆動電力を設定可能な形式である複数部位パルスであるか否かが判定され、複数部位パルスであると判定された場合に、ライトパルスを構成する複数の部位の内、少なくとも１の部位の駆動電力が、設定された基準電力Ｐ０に、予め設定された補正電力αを加算することによって補正される。また、ＬＤ（＝ＣＤ用ＬＤ１１又はＤＶＤ用ＬＤ１２）に対して、設定された駆動電力Ｐ０及び補正された駆動電力（Ｐ０＋α）のライトパルスが印加されるため、良好な品質のピットを形成することができる。
【００５６】
すなわち、ライトパルスを構成する複数の部位の内、少なくとも１の部位の駆動電力が、設定された基準電力Ｐ０に、予め設定された補正電力αを加算することによって補正され、補正された駆動電力（Ｐ０＋α）のライトパルスが印加されるため、ＬＤ（＝ＣＤ用ＬＤ１１又はＤＶＤ用ＬＤ１２）の加熱に伴うドループ（＝発光光量の低下）に起因して発生するピット品質の劣化を抑制することができるので、良好な品質のピットを形成することができるのである。
【００５７】
また、ライトパルスを構成する複数の部位の内、最後の部位の駆動電力が補正されるため、更に良好な品質のピットを形成することができる。
【００５８】
すなわち、ライトパルスを構成する複数の部位の内、最後の部位の駆動電力が補正されるため、ＬＤの加熱に伴うドループ（＝発光光量の低下）に起因して発生するピット品質の劣化を効果的に抑制することができるので、更に良好な品質のピットを形成することができるのである。
【００５９】
つまり、ＬＤ（＝ＣＤ用ＬＤ１１又はＤＶＤ用ＬＤ１２）の加熱に伴うドループ（＝発光光量の低下）は、発光時間が長い程大きくなるため、ライトパルスを構成する複数の部位の内、最後の部位の駆動電力を補正することによって、ドループの発生を効果的に抑制することができるのである（図８参照）。
【００６０】
更に、基準電力Ｐ０に対応付けて、駆動電力の補正量である補正電力αが予め補正電力記憶部３２４に格納されており（図６参照）、設定された基準電力Ｐ０に対応する補正電力αを補正電力記憶部３２４から読み出して、基準電力Ｐ０に加算することによって駆動電力が補正されるため、更に良好な品質のピットを形成することができる。
【００６１】
すなわち、基準電力Ｐ０が大きい程、ＬＤ（＝ＣＤ用ＬＤ１１又はＤＶＤ用ＬＤ１２）の加熱に伴うドループ（＝発光光量の低下）の影響が大きくなるため、設定された基準電力Ｐ０に対応する補正電力αを補正電力記憶部３２４から読み出して、基準電力Ｐ０に加算することによって駆動電力が補正されるので、更に良好な品質のピットを形成することができるのである。
【００６２】
加えて、ライトパルスの形式に対応付けて補正電力αが補正電力記憶部３２４に格納されており（図６参照）、設定されたライトパルスの形式に対応する補正電力αを補正電力記憶部３２４から読み出して、基準電力に加算することによって駆動電力が補正されるため、更に良好な品質のピットを形成することができる。
【００６３】
すなわち、ライトパルスの形式によってＬＤ（＝ＣＤ用ＬＤ１１又はＤＶＤ用ＬＤ１２）の加熱に伴うドループ（＝発光光量の低下）の影響が変化するため、設定されたライトパルスの形式に対応する補正電力αを補正電力記憶部３２４から読み出して、基準電力Ｐ０に加算することによって駆動電力が補正されるので、更に良好な品質のピットを形成することができるのである。
【００６４】
なお、本発明は、以下の形態にも適用可能である。
（Ａ）本実施形態では、光ディスク記録装置が、ＤＶＤレコーダ１００である場合について説明したが、光ディスク記録装置が、予め設定された形式のライトパルスが印加されて光ディスクにピットを形成するＬＤ（Ｌａｓｅｒ  Ｄｉｏｄｅ）を介して、光ディスクに情報を記録する装置であればよい。例えば、光ディスク記録装置が、ＤＶＤに情報を記録する機能を備えたパーソナルコンピュータである形態でもよい。
【００６５】
（Ｂ）本実施形態では、ＤＳＰ３２が、パルス形式設定部３２１、パルス形式判定部３２２、基準電力設定部３２３、補正電力記憶部３２４、電力補正部３２５、駆動制御部３２６等の機能部として機能する場合について説明したが、少なくとも１の機能部が回路等のハードウェアによって実現されている形態でもよい。
【００６６】
（Ｃ）本実施形態では、光ディスク２が、ＤＶＤ−Ｒ、又は、ＤＶＤ−ＲＷである場合について説明したが、光ディスク２が他の種類の光ディスクである形態でもよい。例えば、光ディスク２が、ＤＶＤ＋Ｒである形態でもよいし、ＣＤである形態でもよい。
【００６７】
（Ｄ）本実施形態では、電力補正部３２５が、ライトパルスを構成する複数の部位の内、最後の部位の駆動電力を補正する場合について説明したが、電力補正部３２５が、ライトパルスを構成する複数の部位の内、少なくとも１の部位の駆動電力を補正する形態であればよい。例えば、電力補正部３２５が、ライトパルスを構成する複数の部位の内、先頭の部位を除く全ての部位の駆動電力を補正する形態でもよい。
【図面の簡単な説明】
【００６８】
【図１】は、本発明に係るＤＶＤレコーダの一例を示す構成図である。
【図２】は、ドライバＩＣの等価回路の一例を示す回路図である。
【図３】は、ＤＶＤレコーダ（ＤＳＰ）における主要部の機能構成の一例を示す構成図である。
【図４】は、パルス形式設定部によって設定されるライトパルスの形式の一例を説明するタイミングチャートである。
【図５】は、ライトパルスにおけるドループ及びその記録データへの影響の一例を示す波形図である。
【図６】は、補正電力記憶部に格納される補正電力αの一例を示すグラフである。
【図７】は、本発明に係るＤＶＤレコーダ（主にＤＳＰ）の動作の一例を示すフローチャートである。
【図８】は、本発明の効果の一例を示す波形図である。
【符号の説明】
【００６９】
１００    ＤＶＤレコーダ（光ディスク記録装置）
１    光ピックアップ
１１    ＣＤ用ＬＤ
１２    ＤＶＤ用ＬＤ
３    出力装置
３２    ＤＳＰ
３２１    パルス形式設定部（パルス形式設定手段）
３２２    パルス形式判定部（パルス形式判定手段）
３２３    基準電力設定部（基準電力設定手段）
３２４    補正電力記憶部（補正電力記憶手段）
３２５    電力補正部（電力補正手段）
３２６    駆動制御部（駆動制御手段の一部）
４    制御装置
４２    ドライバＩＣ（駆動制御手段の一部）
５    駆動装置
５１    スレッドモータ
５２    スピンドルモータ
【図１】
2008262607.tif 000003
【図２】
2008262607.tif 000004
【図３】
2008262607.tif 000005
【図４】
2008262607.tif 000006
【図５】
2008262607.tif 000007
【図６】
2008262607.tif 000008
【図７】
2008262607.tif 000009
【図８】
2008262607.tif 000010